(57)【特許請求の範囲】
【請求項１】
プラスチックによって形成されて、下面に補強リブを形成した略方形の底壁と、該底壁から上方に向けて連なる両側長側壁と、前記底壁から上方に向けて連なる前後短側壁とを有する略箱形のコンクリート混練器であって、
前記両側長側壁若しくは前記前後短側壁のいずれかから前記底壁に亘る内面に形成された円弧部を備え、該円弧部の外面に、下段の当該コンクリート混練器内に収納し得る程度に外方向に張り出すとともに、前記補強リブに連続するリブを備えたことを特徴とするコンクリート混練器。
【発明の詳細な説明】
【０００１】
【発明の属する技術分野】
本発明は、左官工事や土木施工時等で使用するコンクリート混練器に関するものであり、より詳しくは、工事現場で、セメントや粘土に骨材と水を加えてスコップ等にてこれらを綺麗に混練するとともに、使用後に綺麗に水洗いでき、しかも多段に重ねても重なり防止できるコンクリート混練器に関するものである。
【０００２】
ところで、本明細書におけるコンクリート混練器とは、セメントと砂等の骨材とを混練するためにのみ使用されるものではなく、例えば土壁施工時に、粘土と藁を混練する際にも使用できるものであり、特に混練されるものを制限するものではない。
【０００３】
【従来の技術】
従来から、左官工事等を施する場合、工事現場において、セメントと砂などの骨材との混合物に水を加えて混練したり、粘土と藁の混合物に水を加えて混練することがしばしばであった。従来のかかる混練器としては、底面から上方に向かって拡径する傾斜周壁を有する金属製のものが汎用されてきた。
【０００４】
【発明が解決しようとする課題】
しかしながら、上記従来の混練器は、底面から周壁面に亘る隅部が角張っているためスコップ等を滑らかに操作することが困難であり、しかも混練時にしばしば横ズレする不具合が相まって、これらを綺麗に混練することが難しく、しかも使用後に綺麗に水洗いし難い、という問題があった。
【０００５】
また、その全体が鋼材であるために重く、しかもこれらの混練器を多段に積み重ねて保管したり搬送するような場合、上記従来の混練器にあっては、図６に模式的に示すように、その周壁外面が下段の該混練器の内面と相互に面接触することが原因となって、すなわちこれらを引き離すとき下段の混練器に上段の周壁外面がくっついているため、これらを引き離す作業が大変面倒であるという問題があった。
【０００６】
本発明は、このような事情に鑑みなされたものであり、その目的とするところは、例えば左官工事の作業現場で、セメントに砂と水を加えてこれらを混練する時のスコップの通りがよくて混練作業効率の向上が図れ、使用後の水洗いが簡単で、しかも多段に重ねても重なり防止できる軽量で丈夫なコンクリート混練器を提供することである。
【０００７】
【課題を解決するための手段】
以上の課題を解決するために本発明が採用した手段の要旨とするところは、叙上の特許請求の範囲に記載のとおりである。
すなわち、実施例において使用した図面符号を用いて説明すると、本発明に係るコンクリート混練器１０は、プラスチックによって形成されて、下面に補強リブ１７を形成した略方形の底壁１３と、該底壁１３から上方に向けて連なる両側長側壁１１と、底壁１３から上方に向けて連なる前後短側壁１２とを有する略箱形のコンクリート混練器１０であって、両側長側壁１１若しくは前記前後短側壁１２のいずれかから底壁１３に亘る内面に形成された円弧部１４を備え、該円弧部１４の外面に、下段の当該コンクリート混練器１０内に収納し得る程度に外方向に張り出すとともに、補強リブ１７に連続するリブ１５を備えたところにその構成特徴がある。
【０００８】
本発明に係るコンクリート混練器１０によると、叙上のように、前記側壁の内の少なくとも１側壁の該側壁から底壁１３に亘る内面に、円弧状に形成された円弧部１４が備えられているとともに、全体をプラスチックにより形成しているので、この位置におけるスコップ等の通りが滑らかとなり、被混練物たる混合物を綺麗に混練することができるとともに、使用後に綺麗に水洗いすることができる、という作用が得られる。
【０００９】
また、これらの混練器１０を多段に積み重ねても、各リブ１５が下段の混練器１０の内面に当接するから、周壁外面が下段の該混練器１０の内面と相互に面接触することがなく、重ね積みされた場合での重なり防止ができて、保管スペース又は輸送スペースの削減ができる。
【００１０】
【発明の実施の形態】
本発明の実施形態を、図面で示すより具体的な実施例に基いてさらに詳細に説明するが、本発明の要旨を越えない限り、以下の実施例により本発明が限定されるものではない。
【００１１】
なお、本明細書でいうコンクリート混練器は、叙上の如く、左官工事等を行う際に工事現場にて使用されるものであり、セメントと砂を混練する際の混練器、粘土と藁を混練する際の混練器、その他これらに類するものをすべて含む広い意味の概念であり、外観形状、寸法形状等もまた適宜設計変更される事項である。
【００１２】
図１は、本発明の実施例となるコンクリート混練器１０の半分相当を概略的に示す平面図であり、図２は同混練器１０の部分破断正面図、図３は同混練器１０の部分底面図、図４は図１のＡ−Ａ線に沿った部分破断側面図である。
【００１３】
図において、このコンクリート混練器１０は、ガラス繊維強化のプラスチックにより上部開放で深さが１７ｃｍの略舟型のものとして一体形成される。この混練器１０は、５０ｘ６０ｃｍの底壁１３と、該底壁１３から上方に向けて相対向して連なり且つ傾斜する長側壁１１、１１と、底壁１３から上方に向けて相対向して連なり且つ傾斜する短側壁１２、１２とからなるものであり、上部の開口周縁には、外端縁部を下方に向けて屈曲させ幅３ｃｍで上面に環状凸部１６ａを有するフランジ１６が設けられており、さらに、フランジ１６の下面には補強リブ１６ｂが適宜間隔に配設されている。なお、フランジ１６の外端縁部を屈曲させてあるので、図示しない手掛け部を構成するとともに、当該フランジ１６の強度アップを図ることができる。
【００１４】
短側壁１２、１２の下端部のそれぞれに、その内面を円弧状となるようにわん曲させた円弧部１４が形成されており、この円弧部１４となる短側壁の外面には、外方向に張り出す２つのリブ１５が、当該短側壁１２の辺に対して直交する方向に備えられている。更に、このリブ１５は、設置面まで下方に延びている。但し、このリブ１５の数量、配設位置、寸法形状、及び配設形状等はいずれも適宜設計変更可能な事項であり、例えば、短側壁１２の辺に対して平行、斜め、あるいはハの字状に、２本ではなくて１本、或いは３本以上配設しても構わない。
【００１５】
また、底壁１３下面の全面にも、縦横方向に適宜間隔で配設した複数個の補強リブ１７が備えられているから、混練時の横ズレが防止できる。
【００１６】
本実施例のコンクリート混練器１０は、叙上の如く構成されているので、次に示す作用効果が得られる。
【００１７】
まず、短側壁１２の下端部に、その内面が円弧状に形成された円弧部１４が設けられているから、被混練物を混練する際に、スコップの先端を当該円弧部１４の内面に沿って極めて円滑に操作でき、これにより被混練物を迅速且つ確実にさらに綺麗に混練できるとともに、使用後にあっては、混練物を残すことなく確実に水洗いできる。
【００１８】
また、この円弧部１４の外面に設けた外方向に張り出したリブ１５にて、当該円弧部１４の強度アップが図れ、且つこのリブ１５は混練時のスタッキングブロックとしても作用し、これにより、当該混練器１０を常時安定した状態で使用できる。
【００１９】
さらに、これらの混練器１０を多段に積み重ねても、図５に示すように、各リブ１５が下段の混練器１０の内面に当接するから、周周壁外面が下段の該混練器の内面と相互に面接触することがないため、重ね積みした場合の重なり防止ができる。
【００２０】
ところで、上述した実施例のコンクリート混練器１０は、本発明の代表的な実施態様として述べたものであり、本発明は本実施例に限定されるものではなく、本発明を実施する場合には、例えば両側長側壁の両方に円弧部を設けるとか、短側壁若しくは長側壁のうちいずれかの一方にのみに円弧部を設けるとか、短側壁と長側壁のすべてに円弧部を設けるとか、又は例えばその寸法形状等を設計変更するとか等、この発明の趣旨から逸脱しない範囲で適宜設計変更して実施できることは改めて述べるまでもないことである。
【００２１】
【発明の効果】
以上述べたように、本発明に係るコンクリート混練器によると、左官工事等の工事現場において、セメントと砂、粘土と藁などを極めて効率的且つ綺麗に混練でき、しかも作業終了後にあっては、これを極めて簡単に洗うことができるから、これらの作業を迅速且つ確実に遂行できるとともに、これらの混練器を多段に積み重ねても周壁外面が下段の該混練器の内面と相互に面接触することがなく（重ね積みした場合の重なり防止ができるから）、極めて取り出し易く、これらを保管したり搬送する場合の収容スペースの削減が図れる、という実効性に優れたものである。
【図面の簡単な説明】
【図１】  図１は、本発明となるコンクリート混練器１０の半分相当を概略的に示す平面図である。
【図２】  図２は同混練器１０の部分破断正面図である。
【図３】  図４は同混練器１０の部分底面図である。
【図４】  図４は図１のＡ−Ａ線に沿った部分破断側面図である。
【図５】  図５は、本発明のコンクリート混練器を多段に積み重ねた状態を模式的に示す断面図である。
【図６】図６は、従来のコンクリート混練器を多段に積み重ねた状態を模式的に示す断面図である。
【符号の説明】
１０…本発明のコンクリート混練器
１１…長側壁
１２…短側壁
１３…底壁
１４…円弧部
１５…リブ
１６…フランジ
１６ａ…補強リブ
１７…補強リブ
２０…従来のコンクリート混練器
【図１】
0003893775.tif 000002
【図２】
0003893775.tif 000003
【図３】
0003893775.tif 000004
【図４】
0003893775.tif 000005
【図５】
0003893775.tif 000006
【図６】
0003893775.tif 000007